(57)【要約】【課題】  ペットに着用するコートは、ペットがいやがって装着が厄介であるが、犬種による脚の長短に関係なくコートの装着脱が容易なペットのコートを提供する。【解決手段】  ペットの背部のカバー部２と、該カバー部２の前方部の内面に取付けた接離可能な接離部材４を係着した首輪部３と、該カバー部２の中間部或いは後方部に設けられペットの胴部に巻付け可能な止め部９ａ、９ｂと、該カバー部２の表面に設けられ引紐１３の係止具１４が係止可能な連結部８とからなるペットのコート１。【選択図】        図１
2005046037.tif 000002
【特許請求の範囲】
【請求項１】
ペットの背部のカバー部と、該カバー部の前方部の内面に取付けた首輪部と、該カバー部の中間部或いは後方部に設けられペットの胴部に巻付け可能な止め部と、該カバー部の表面に設けられ引紐の係止具が係止可能な連結部とからなるペットのコート。
【請求項２】
前記カバー部は略台形又は略長方形の布地からなり、該略台形又は長方形の布地の後方部の両側部を帯状に延長して前記止め部に形成した請求項１に記載のペットのコート。
【請求項３】
前記一方の止め部の表面と前記他方の止め部の裏面に互に接離可能な接続部を設けた請求項２に記載のペットのコート。
【請求項４】
前記首輪部は帯状又は紐状の長尺体からなり、該長尺体の両端部に接離可能な接離部材を係着した請求項１乃至請求項３のいずれか１に記載のペットのコート。
【発明の詳細な説明】
【技術分野】
【０００１】
本発明は、犬、猿などのペットに使用する装着脱が容易なペットのコートに関する。
【背景技術】
【０００２】
従来の犬に着用するコートとして、円筒形に形成し、前脚を突出させるための脚出口を設けたコート主体に、引き紐用の掛け金を設けた紐状体を一体にして取付けているものがある（例えば、特許文献１参照。）。
【特許文献１】実開昭６２−８６８７０号公報
【発明の開示】
【発明が解決しようとする課題】
【０００３】
従来のドックコートは、コート主体が円筒形に形成されていると共に前脚を突出させる脚出口を設けているので、犬に装着する時、円筒形のコート主体の中間部まで犬の頭部に被せて挿入すると共に前脚を１本づつ脚出口に挿通して前脚を出すので犬がいやがる問題点があり、又、特に脚の長い犬種では脚出口に前脚を挿通するのが困難な問題点があった。
【０００４】
本発明は、これらの問題点を解消し、ペットへのコートの装着脱が容易なペットのコートを提供することを目的とする。
【課題を解決するための手段】
【０００５】
本発明は上記の目的を達成すべく、ペットの背部のカバー部と、該カバー部の前方部の内面に取付けた首輪部と、該カバー部の中間部或いは後方部に設けられペットの胴部に巻付け可能な止め部と、該カバー部の表面に設けられ引紐の係止具が係止可能な連結部とからなる。
【発明の効果】
【０００６】
ペットの背部を被うカバー部の前方部に取付けた接離可能な首輪部と後方部の胴部に巻付け可能な止め部とにより、ペットの首部と胴部とに簡単に装着でき、犬種による脚の長短に関係なくコートの装着脱が容易でペットがいやがらずに装着できる効果を有する。
【発明を実施するための最良の形態】
【０００７】
本発明の実施例を図１乃至図３により説明する。
【０００８】
１はペットのコートを示し、該コート１のカバー部２は略台形の布地からなり、該台形の布地の前方部の裏面に首輪部３を取付けた。
【０００９】
該首輪部３は例えばナイロン等の合成繊維の組紐により形成された帯状体３ａからなり、該帯状体３ａの一方の端部を折り返してこれに対向する個所で該端部の端末部と帯状体３ａとを溶着すると共に折り返し部において接離部材４の受部４ａを係着し、又前記帯状体３ａをその中間部において尾錠５の２ヶ所の開口に挿通すると共に、該帯状体３ａの他方の端部を折り返してその折り返された端末部の先端を前記尾錠５の中間の連結杆に結着し、該折り返し部において前記接離部材４の係止突部４ｂを係着した。
【００１０】
そして前記帯状体３ａは、前記カバー部２の前方の裏面の両側部において両端部で逢着した側方取付帯体６の中間に形成される挿通孔部に挿通されていると共に、前記裏面の中央部において一端部と中間部で逢着した中央取付帯体７の両個所間に形成される挿通孔部に挿通されて且つ逢着され、該中央取付帯体７の他端部は前記カバー部２に形成のスリットを挿通して該カバー部２の表面上に突出し、該突出した端末部に略Ｄ形環状に形成した連結部８を結着した。
【００１１】
前記カバー部２の後方部即ち略台形状の底部側の両側部を帯状の延長部に一体に形成してこれら両延長部をそれぞれ止め部９ａ、９ｂに形成し、一方の止め部９ａの表面側と他方の止め部９ｂの裏面側にベルベット式ファスナーからなる接離可能な接続部１０を設けた。
【００１２】
１１は前記カバー部２の前方端部の表面に逢着した襟、１２は折り返されている帯状体３ａが挿通されている締環を示す。
【００１３】
次に前記実施例のコート１の使用について説明する。
【００１４】
ペットの例えば犬の首の太さに応じてコート１の首輪部３の尾錠５を帯状体３ａに対して摺動して長さを調節してから、コート１のカバー部２を犬の背中で首の個所から胴の後方部にかけて被せると共に開いた状態の首輪部３を首にまわして接離部材４の係止突部４ｂを受部４ａに差し込んで係止し、又カバー部２の後方部の両止め部９ａ、９ｂを犬の胴部にまわしてベルベット式ファスナーの接続部１０で接続してコート１を犬に装着する。
【００１５】
このように首輪部３で係止突部４ｂを受部４ａに差し込んで係止することと両止め部９ａ、９ｂを接続部１０で接続するのみでコート１が犬に装着できるので、装着が非常に簡単になる。
【００１６】
その後図３の如く引紐１３の先端部の係止具１４を連結部８に係止して犬の散歩等をすることができる。
【００１７】
又、散歩後に、首輪部３の接離部材４の係止突部４ｂと受部４ａとを脱離し、胴部の接続部１０を脱離するのみで、コート１の脱着ができるので、脱着も非常に簡単になる。
【産業上の利用可能性】
【００１８】
ペットに着用するコートは元来散歩時の防寒やファッション性のためのもので装着が厄介であるが、犬種による脚の長短に関係なくコートの装着脱が容易なペットのコートを提供できる。
【図面の簡単な説明】
【００１９】
【図１】実施例のペットのコートの表面側の平面図である。
【図２】その裏面側の平面図である。
【図３】その使用状態の斜視図である。
【符号の説明】
【００２０】
１          ペットのコート
２          カバー部
３          首輪部
４          接離部材
４ａ        受部
４ｂ        係止突部
５          尾錠
６          側方取付帯体
７          中央取付帯体
８          連結部
９ａ、９ｂ  止め部
１０        接続部
１１        襟
１２        締環
１３        引紐
１４        フック
【図１】
2005046037.tif 000003
【図２】
2005046037.tif 000004
【図３】
2005046037.tif 000005
【手続補正書】
【提出日】平成15年8月22日(2003.8.22)
【手続補正１】
【補正対象書類名】図面
【補正対象項目名】全図
【補正方法】変更
【補正の内容】
【図１】
2005046037.tif 000006
【図２】
2005046037.tif 000007
【図３】
2005046037.tif 000008